(57)【要約】      （修正有）【課題】搬送時の移動面における凹凸、傾斜等に対応して搬送物を傾斜させることなくスムーズに搬送移動できるようにする搬送ローラーを提供する。【解決手段】ローラー５を回転自在に支承しているローラー台本体１と、ローラー台本体に揺動シャフト１４によってローラー台本体の前後方向に揺動自在にして連繋した搬送物搭載部１０とを備える。搬送物搭載部は、ローラー台本体に揺動自在に支承したブリッジ１１と、ブリッジの中央部にブリッジ上で旋回自在に支承した天板１５とから成る。ブリッジには、ローラー台本体の開放した上部開口部分を覆う上側板１２に、ローラー台本体の左右の側壁３と共に揺動シャフト１４を挿通する支持脚片１３を設けてあり、天板は、上側板のほぼ中央部に設けた回転軸部１６に回転自在に嵌め入れられている。【選択図】図１
0003218504.tif 000002
【実用新案登録請求の範囲】
【請求項１】
ローラーが回転自在に支承されているローラー台本体と、このローラー台本体に揺動シャフトによってローラー台本体の前後方向に揺動自在にして連繋した搬送物搭載部とを備えて成り、搬送物搭載部は、ローラー台本体に揺動自在に支承されているブリッジと、ブリッジの中央部にブリッジ上で旋回自在に支承されている天板とから成り、ブリッジは、ローラー台本体の開放された上部開口部分を覆う上側板に、ローラー台本体の左右の側壁と共に前記揺動シャフトが挿通される支持脚片を設けてあり、天板は、上側板のほぼ中央部に設けた回転軸部に回転自在に嵌め入れてあることを特徴とする搬送ローラー。
【請求項２】
ローラー台本体上部の開放部分の前後端部には、開放部分の一部を閉塞するように帯状の閉塞板が架装されており、この閉塞板の開放部分側の前後縁の底面、及びブリッジの上側板の前後縁の底面それぞれには面取り処理加工がされている請求項１に記載の搬送ローラー。
【請求項３】
搬送物搭載部の揺動は、ブリッジの上側板の左右側縁部分がローラー台本体の左右の側壁の上縁に衝接することで一定範囲に規制されているものとしてある請求項１または２に記載の搬送ローラー。
【考案の詳細な説明】
【技術分野】
【０００１】
この考案は、例えば重量的に嵩張る各種工場等における諸機器の据付あるいは移動に際し、これらを搬送する場合に移動面における凹凸、傾斜等に対応して搬送物を傾斜させることなくスムーズに搬送移動できるようにした搬送ローラーに関する。
【背景技術】
【０００２】
従来から、例えば各種工場等で諸機器を搬送移動させるには、ターンテーブル（天板）を上面に配した台車本体に複数の車輪を設けて成る台車装置を利用することか多い。例えば特許文献１に示された運搬用キャスターであり、特許文献２に示された無軌道無人搬送台車である。特許文献１に係る運搬用キャスターでは、ターンテーブルを付設したキャスターベースに、車輪を設けてある前輪部を揺動自在に支承として成り、走行面に凹凸がある場合に前輪部が揺動することでこれを乗り越えてキャスターベースをスムーズに走行させることができるようにしている。特許文献２に係る無軌道無人搬送台車は、車体の下面に、従動輪を設けてある車輪支持アームを揺動自在に支承して成り、路面に対して車輪支持アームが天秤のように上下方向に揺動することで路面に接した状態で走行できるようにしている。
【先行技術文献】
【特許文献】
【０００３】
【特許文献１】実開平６−４５８０１号公報
【特許文献２】実公平８−２２８号公報
【考案の概要】
【考案が解決しようとする課題】
【０００４】
ところが、このように、走行面の凹凸、傾斜に対応して車輪部分が揺動することで円滑な移動走行を図るとする従来のこの種のキャスター・台車においては、車輪部分のキャスター本体・台車本体に対しての揺動作用機構は、揺動を可能とするように単に小径・細径の支軸を介して支持されている。そのため、例えば重量的に嵩張るような工場内での大型の諸機器を支持して移動させるキャスター、台車の揺動機構として組み込むとしても、諸機器の重量を支えるには無理があり、その脆弱性の故に移動走行の使用中に破損してしまうことがあった。
【０００５】
そこでこの考案は叙上のような従来存した諸事情に鑑み創出されたもので、その目的は重量的に嵩張る諸機器を搬送移動させるとき、搬送面上で転動するローラー台本体と搬送物を搭載支持する天板部分との相互間の揺動作用で搬送移動面における凹凸、傾斜等に対応して揺動対処可能にして安定性良く移動搬送できるようにした搬送ローラーを提供することにある。
【課題を解決するための手段】
【０００６】
上述した課題を解決するため、この考案にあっては、ローラー５が回転自在に支承されているローラー台本体１と、このローラー台本体１に揺動シャフト１４によってローラー台本体１の前後方向に揺動自在にして連繋した搬送物搭載部１０とを備えて成り、搬送物搭載部１０は、ローラー台本体１に揺動自在に支承されているブリッジ１１と、ブリッジ１１の中央部にブリッジ１１上で旋回自在に支承されている天板１５とから成り、ブリッジ１１は、ローラー台本体１の開放された上部開口部分を覆う上側板１２に、ローラー台本体１の左右の側壁３と共に前記揺動シャフト１４が挿通される支持脚片１３を設けてあり、天板１５は、上側板１２のほぼ中央部に設けた回転軸部１６に回転自在に嵌め入れてあることを特徴とする。
ローラー台本体１上部の開放部分の前後端部には、開放部分の一部を閉塞するように帯状の閉塞板８が架装されており、この閉塞板８の開放部分側の前後縁の底面、及びブリッジ１１の上側板１２の前後縁の底面それぞれには面取り処理加工が施されて構成することができる。
搬送物搭載部１０の揺動は、ブリッジ１１の上側板１２の左右側縁部分がローラー台本体１の左右の側壁３の上縁に衝接することで一定範囲に規制されているものとして構成することができる。
【０００７】
以上のように構成されたこの考案に係る搬送ローラーにあって、搬送物搭載部１０上に所定の搬送物Ｐを搭載してローラー台本体１を走行させるとき、走行面に凹凸、傾斜面等があると搬送物搭載部１０に対してローラー台本体１が、搬送物Ｐの重量を支える揺動シャフト１４を介して揺動することでこれらを回避し、スムーズに走行移動させる。
ローラー台本体１の上部の開放部分に搬送物搭載部１０が揺動自在に連繋され、開放部分の閉塞板８、上側板１２それぞれの底面の面取り処理加工で、搬送物搭載部１０とローラー台本体１との揺動時にローラー５を搬送物搭載部１０に接触させない。
搬送物搭載部１０とローラー台本体１との揺動時に、上側板１２の左右側縁部分がローラー台本体１の左右の側壁３の上縁に衝接することで、揺動範囲を一定範囲内に規制し、搬送物搭載部１０、ローラー台本体１それぞれに過大な負荷を掛けない。
【考案の効果】
【０００８】
この考案は以上説明したように構成されているため、搬送物搭載部１０上に各種機器等の重量的に嵩張る所定の搬送物Ｐを搭載し、ローラー台本体1のローラー５によって走行移動させるとき、その移動走行面に凹凸、傾斜等があってもそれに対応してローラー台本体１が揺動して回避し、スムーズに搬送させることができる。
【０００９】
すなわち、これはこの考案において、ローラー台本体１と搬送物搭載部１０とを揺動シャフト１４によって前後方向に揺動自在に連繋して成り、搬送物搭載部１０は、ローラー台本体１に揺動自在に支承したブリッジ１１に天板１５を旋回自在に支承して成り、ブリッジ１１は、ローラー台本体１の開放された上部開口部分を覆う上側板１２に、ローラー台本体１の左右の側壁３と共に前記揺動シャフト１４が挿通される支持脚片１３を設けてあり、天板１５は、上側板１２のほぼ中央部に設けた回転軸部１６に回転自在に嵌め入れてあるからである。これによって、搬送移動中における移動面の凹凸、傾斜等に対応したローラー台本体１の揺動、搬送物Ｐの重量に耐え得る揺動シャフト１４による揺動連繋、搬送移動中の方向転換容易性等の優れた効果を得ることができる。
【００１０】
また、ローラー台本体１上部の開放部分の一部を閉塞する架装した閉塞板８の開放部分側の前後縁の底面、及びブリッジ１１の上側板１２の前後縁の底面それぞれには面取り処理加工が施されているので、搬送物Ｐを搭載している搬送物搭載部１０に対してローラー台本体１が揺動するときでも、ローラー台本体１のローラー５を搬送物搭載部１０に接触させず、ローラー５による走行回転を阻害しない。
【００１１】
搬送物搭載部１０とローラー台本体１との相互間の揺動は、ブリッジ１１の上側板１２の左右側縁部分がローラー台本体１の左右の側壁３の上縁に衝接して一定範囲に規制されているので、必要以上に揺動することはなく、大きな負荷を掛けずに安全にしかも安定した状態で移動走行できる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す分解斜視図である。
【図２】同じく側面図である。
【図３】同じく平面図である。
【図４】同じく使用状態の一例を示す概要斜視図である。
【考案を実施するための形態】
【００１４】
以下、図面を参照してこの考案を実施するための一形態を説明すると、図において示される符号１はローラー台本体であり、このローラー台本体１は、前後の側壁２、左右の側壁３等から平面で矩形状を呈する筒枠状に構枠されていて、左右の側壁３の前後部それぞれに架装したローラー軸４に、筒状のローラー５が前後で例えば計６個に配して回転自在に支承されて成る。そして、前部の側壁２の前面には、ローラー台本体１自体を牽引したり、他の搬送ローラー等と連繋したりするようにした、連繋孔７が開穿されている連繋片６が対状にして連設されている。
【００１５】
また、ローラー台本体１の内部では、内部自体を適当に区画しているようになる前後方向、左右方向それぞれに沿って配列した補強区画片９が連結されていて、上下方向に沿って負荷される搬送物Ｐの重量を十分に支持できるように耐荷重性が考慮されている。
【００１６】
このローラー台本体１の上部は開放されていて、この開放部分におけるローラー台本体１の上部の前後端部には、開放部分の一部を閉塞するように帯状の閉塞板８が架装されている。
【００１７】
ローラー台本体１の上部の開放部分には、ローラー台本体１の前後方向に沿って揺動する搬送物搭載部１０を設けてある。この搬送物搭載部１０は、ローラー台本体１に揺動自在に支承されているブリッジ１１と、ブリッジ１１の中央部にブリッジ１１上で旋回自在に支承されている天板１５とから成る。
【００１８】
ブリッジ１１は、ローラー台本体１の上部開放部分を覆い、ローラー台本体１の左右の側壁３の上縁相互間に跨がる程度の大きさを有するほぼ矩形状の上側板１２の裏面に、例えば左右の側壁３の内側面、前記補強区画片９の側面にそれぞれ当接する適数の支持脚片１３を設けて成る。そして、支持脚片１３には、ローラー台本体１の左右の側壁３と共に１本の揺動シャフト１４が抜脱されることなく貫挿支持してあることで、揺動シャフト１４を支点としてブリッジ１１自体が揺動されるようにしてある。
【００１９】
尚、ブリッジ１１自体の揺動作用は、ローター台本体１に対して、上側板１２の左右側縁部分がローラー台本体１の左右の側壁３の上縁に衝接することで一定範囲、例えばその最大の揺動角度が４０°の揺動範囲に規制されている。この規制による揺動許容の角度範囲は、揺動シャフト１４の揺動支点位置、この揺動支点位置から上側板１２に至る間隔、上側板１２の左右側縁部分と左右の側壁３の上縁との間隔等によって適宜に選定される。
【００２０】
また、前記の閉塞板８の裏面における前後縁、及び上側板１２の裏面における前後縁それぞれは、ローラー５との接触が生じないように例えば面取り処理加工が施されていて、ブリッジ１１あるいはローラー台本体１が前後に揺動したときにブリッジ１１の上側板１２の前後縁部分がローラー台本体１の左右の側壁の上縁に衝接することがあっても、上側板１２がローラー５面には接触しないようにしてある。
【００２１】
前記天板１５は、上側板１２のほぼ中央部に支承した回転軸部１６に回転可能に、抜脱されることなく嵌め合わせることで、上側板１２面上で旋回自在に支承されている。この天板１５の上面には例えば互いに直交させて配列した突条状の滑り止め処理が施されている。
【００２２】
次にこの実施の形態における使用の一例を説明すると、例えば搬送物Ｐの四隅に配することで搬送物搭載部１０における天板１５上に搬送物Ｐを搭載し、連繋片６に連繋した牽引装置・機構その他によって牽引等する。牽引搬送時に例えば走行面上に凹凸、傾斜等があると、ローラー５を支承しているローラー台本体１を、ローラー台本体１が搬送物搭載部１０と揺動連繋されていることで、搬送物搭載部１０に対する揺動傾斜作用で凹凸、傾斜等の傾斜角度に対応した揺動によってこれらを回避し、ローラー台本体１をスムーズに走行させる。
【００２３】
また、搬送物搭載部１０の天板１５が旋回自在であることで、搬送物Ｐに対して搬送物Ｐを搭載したままでローラー台本体１自体の方向転換を図ることもでき、所定場所へ無理なく移動搬送させることができる。
【符号の説明】
【００２４】
Ｐ…搬送物
１…ローラー台本体
２…前後の側壁
３…左右の側壁
４…ローラー軸
５…ローラー
６…連繋片
７…連繋孔
８…閉塞板
９…補強区画片
１０…搬送物搭載部
１１…ブリッジ
１２…上側板
１３…支持脚片
１４…揺動シャフト
１５…天板
１６…回転軸部
【図１】
0003218504.tif 000003
【図２】
0003218504.tif 000004
【図３】
0003218504.tif 000005
【図４】
0003218504.tif 000006